(57)【要約】      （修正有）【課題】非透水性を保ったままより安価な材料により作製され、洗髪時の排水漏れを好適に防止する使い捨て洗髪用ケープを提供する。【解決手段】使い捨て洗髪用ケープ１００は、装着者の頚部が挿通される湾曲した開口部１１を有するポリエチレンからなるシート状のケープ本体１と、開口部に沿ってケープ本体に固定された湾曲部２１を有し、洗髪時に開口部からシャンプー台の水受け部にかけて延設されるポリエチレンからなるシート状の上部ケープ体２とを備える。【選択図】図１
0003172227.tif 000002
【実用新案登録請求の範囲】
【請求項１】
装着者の頚部が挿通される湾曲した開口部を有するポリエチレンからなるシート状のケープ本体と、
前記開口部に沿って前記ケープ本体に固定された湾曲部を有し、洗髪時に開口部からシャンプー台の水受け部にかけて延設されるポリエチレンからなるシート状の上部ケープ体と、
を備えることを特徴とする使い捨て洗髪用ケープ。
【請求項２】
前記湾曲部は、前記ケープ本体の開口部の略半周以上に沿って固定されていることを特徴とする請求項１に記載の使い捨て洗髪用ケープ。
【請求項３】
前記ケープ本体は、
前記開口部の全周のうち前記上部ケープ体が固定されていない範囲の縁部から前記上部ケープ体が設けられた側と反対側の端部にかけて設けられた切り込みと、
前記切り込みを挟んで対向する二つの切込端部どうしを重ね合わせた状態で保持する保持体と、
を備えることを特徴とする請求項１又は２に記載の使い捨て洗髪用ケープ。
【考案の詳細な説明】
【技術分野】
【０００１】
この考案は、使い捨て洗髪用ケープに関する。
【背景技術】
【０００２】
従来、散髪や洗髪により装着者の被服が汚れることを防ぐための洗髪用補助具として、洗髪用ケープがある。
【０００３】
係る洗髪用ケープは、その用途に応じて、略正方形状若しくは略長方形状に形成されており、また、その使用目的に応じて、胸元若しくは背中で開放可能になった合わせ部を有しているものが知られている（例えば、特許文献１）。
【先行技術文献】
【特許文献】
【０００４】
【特許文献１】特開２００３−７９４２８号公報
【考案の概要】
【考案が解決しようとする課題】
【０００５】
ところで、医療機関において、院内患者の洗髪時に使用される洗髪用ケープは、一般的にナイロン製の洗髪用ケープである。この場合、衛生上使い捨てにすることが望ましいが、ナイロン製の洗髪用ケープは高価であることから使い捨てにすることが難しく、使用ごとに洗浄する必要があった。
また、一のシートからなる洗髪用ケープを装着者に略円錐台状に巻き付けるのみでは、洗髪時に排水が周囲に漏れ出してしまうという問題があった。
【０００６】
そこで、本考案の課題は、非透水性を保ったままより安価な材料により作製され、洗髪時の排水漏れを好適に防止することができる使い捨て可能な洗髪用ケープを提供することである。
【課題を解決するための手段】
【０００７】
請求項１に記載の考案は、使い捨て洗髪用ケープであって、
装着者の頚部が挿通される湾曲した開口部を有するポリエチレンからなるシート状のケープ本体と、
前記開口部に沿って前記ケープ本体に固定された湾曲部を有し、洗髪時に開口部からシャンプー台の水受け部にかけて延設されるポリエチレンからなるシート状の上部ケープ体と、
を備えることを特徴とする。
【０００８】
請求項２に記載の考案は、請求項１に記載の使い捨て洗髪用ケープであって、
前記湾曲部は、前記ケープ本体の開口部の略半周以上に沿って固定されていることを特徴とする。
【０００９】
請求項３に記載の考案は、請求項１又は２に記載の使い捨て洗髪用ケープであって、
前記ケープ本体は、
前記開口部の全周のうち前記上部ケープ体が固定されていない範囲の縁部から前記上部ケープ体が設けられた側と反対側の端部にかけて設けられた切り込みと、
前記切り込みを挟んで対向する二つの切込端部どうしを重ね合わせた状態で保持する保持体と、
を備えることを特徴とする。
【考案の効果】
【００１０】
本考案によれば、非透水性を保ったままより安価な材料により作製され、洗髪時の排水漏れを好適に防止することができる。
【図面の簡単な説明】
【００１１】
【図１】使い捨て洗髪用ケープの一実施例の平面図である。
【図２】使い捨て洗髪用ケープの一実施例の使用状態を示す斜視図である。
【図３】使い捨て洗髪用ケープの一実施例の使用状態を示す斜視図である。
【考案を実施するための形態】
【００１２】
以下、本考案を実施するための形態について図面を用いて説明する。
＜使い捨て洗髪用ケープの構成＞
先ず、図１及び図２を用いて本実施形態の使い捨て洗髪用ケープ１００の構成について説明する。
【００１３】
図１は、本実施形態の使い捨て洗髪用ケープ１００を示す平面図である。図２は、本実施形態の使い捨て洗髪用ケープ１００の斜視図である。
なお、図１において、直交する二方向のうち、一方を前後方向、他方を左右方向として、以下説明を行う。
【００１４】
これらの図に示すように、本実施形態における使い捨て洗髪用ケープ１００は、ケープ本体１と、このケープ本体１に固定された上部ケープ体２とを備えている。
【００１５】
ケープ本体１は、外形が略四角形状に成形され、ポリエチレンからなる平面状のシートである。従って、ケープ本体１は、ナイロン製の場合と比較して、より安価な材料により作製される。
具体的には、ケープ本体１は、中央から前後方向やや前側に設けられた開口部１１と、ケープ本体１の前側の端部中央から開口部１１にかけて設けられた切り込み１２と、切り込み１２を挟んで対向する２つの切込端部１２１ａ、１２１ｂどうしを重ね合わせた状態で保持する保持体１３と、を有している。
【００１６】
開口部１１は、外形が左右方向に長軸を有する略楕円形に形成され、装着者Ｈの頚部が挿通できるようになっている。ケープ本体１の開口部１１の縁部には、開口部１１の後側の略半周に沿って上部ケープ体２が固定されている。
【００１７】
切り込み１２は、ケープ本体１の前側の端部から上部ケープ体２が固定されていない部分の開口部１１に繋がっており、切り込み１２の切込端部１２１ａ、１２１ｂどうしを離すと、装着者Ｈの頚部を開口部１１に容易に導くことができる。
【００１８】
保持体１３は、例えば、粘着性を有するテープ状の部材である。具体的には、保持体１３は、２つの切込端部１２１ａ、１２１ｂを保持し、ケープ本体１が装着者Ｈからずれ落ちないようにすることができる。また、装着者Ｈは、保持体１３によりケープ本体１の着脱を容易に行うことができる。
【００１９】
上部ケープ体２は、外形が略四角形状に成形され、ケープ本体１と同様にポリエチレンからなる平面状のシートである。
具体的には、上部ケープ体２は、図１に示すように、ケープ本体１の開口部１１の後側の略半周に沿って湾曲した湾曲部２１を備え、この湾曲部２１は、ケープ本体１の開口部１１の縁部に固定されている。なお、上部ケープ体２の湾曲部２１は、ケープ本体１の開口部１１の全周に沿って固定されてもよい。
また、上部ケープ体２は、ケープ本体１よりも面積が小さく形成され、当該使い捨て洗髪用ケープ１００を広げて展開した場合、上部ケープ体２の端部がケープ本体１の端部より内側に位置するようになっている。
なお、装着者Ｈは、仰向けの状態で洗髪される場合、図３に示すように、上部ケープ体２が背側になるように装着するが、うつ伏せの状態で洗髪される場合、上部ケープ体２が腹側になるように装着する。
【００２０】
＜使い捨て洗髪用ケープの使用態様＞
次に、使い捨て洗髪用ケープ１００の使用態様について図２、図３を参照して説明する。
なお、ここでの洗髪は、被洗髪者（装着者Ｈ）が仰向けの状態で行われる場合を例示するが、うつ伏せの状態で行われてもよい。
【００２１】
図２に示すように、装着者Ｈは、保持体１３と切込端部１２１ａ、１２１ｂの一方（例えば、切込端部１２１ａ）との接着部分を剥がし、上部ケープ体２が背側になるように開口部１１に頭を挿通させた後、剥がした保持体１３を再び一方の切込端部１２１ａに接着させることで使い捨て洗髪用ケープ１００を装着する。
【００２２】
次に、図３に示すように、上部ケープ体２を、仰向けの状態の装着者Ｈの頭部とシャンプー台の水受け部Ｗとの間に挿入されるように配置する。
【００２３】
この状態で装着者Ｈは、頭髪を洗浄される。
上部ケープ体２は、頚部付近の洗浄が行われる場合に、装着者Ｈとシャンプー台の水受け部Ｗとの間に挿入されることにより、洗髪水が上部ケープ体２を伝って水受け部Ｗに誘導されるため、ケープ本体１に洗髪水がかかることを防止することができる。
これにより、洗髪水が水受け部Ｗから漏れてしまうことを好適に防止することができる。
【００２４】
＜作用・効果＞
このように、使い捨て洗髪用ケープ１００によれば、ケープ本体１及び上部ケープ体２は、ポリエチレンからなるので、非透水性を保ったままより安価な材料により作製することができる。また、上部ケープ体２は、ケープ本体１の開口部１１に沿って湾曲部２１が固定されたため、洗髪時に開口部１１から水受け部Ｗにかけて延設させることができる。
これにより、湾曲した開口部１１を装着者Ｈの頚部に好適にフィットさせることができ、上部ケープ体２により洗髪水の漏れを防止することができるため、洗髪水が装着者Ｈの被服を汚すことを好適に防止できる。
また、上部ケープ体２の湾曲部２１をケープ本体１の開口部１１の略半周以上に沿って固定することにより、洗髪時における洗髪水の漏れを好適に防止することができる。
また、ケープ本体１は、開口部１１の全周のうち上部ケープ体２が固定されていない範囲の縁部から上部ケープ体２が設けられた側と反対側の端部にかけて設けられた切り込み１２と、切り込み１２を挟んで対向する二つの切込端部１２１ａ、１２１ｂどうしを重ね合わせた状態で保持する保持体１３とを備えることにより、装着者Ｈの体形に合わせて開口部１１の大きさを調節することができ、ケープ本体１のずれ落ちを好適に防止することができる。
【００２５】
＜その他＞
なお、本考案は上記実施形態に限定されるものではなく、洗髪用ケープとしての機能を喪失しない限りにおいて、適宜変更・改良が可能であることはもちろんである。
例えば、ケープ本体１及び上部ケープ体２の全体形状は、図示した略四角形状以外の形状にしてもよい。
また、上部ケープ体２は、湾曲部２１のみがケープ本体１と固定されているとしたが、洗髪時に装着者Ｈの頭部とシャンプー台の水受け部Ｗとの間に延設することができる場合において、上部ケープ体２の他端をケープ本体１に固定してもよい。
【符号の説明】
【００２６】
１００                  使い捨て洗髪用ケープ
１                      ケープ本体
２                      上部ケープ体
１１                    開口部
１２                    切り込み
１２１ａ、１２１ｂ      切込端部
１３                    保持体
２１                    湾曲部
Ｈ                      装着者
Ｗ                      水受け部
【図１】
0003172227.tif 000003
【図２】
0003172227.tif 000004
【図３】
0003172227.tif 000005